【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
無線デバイスにおける無線アクセス技術（ＲＡＴ）コンポーネント間の干渉を軽減するための方法であって、
前記無線デバイスにおいて、第１のＲＡＴコンポーネントと第２のＲＡＴコンポーネントとの間の干渉状況を検出するステップと、
前記無線デバイスから、前記検出された干渉状況の通知をネットワークへ送信するステップであって、前記通知は、前記検出された干渉状況を支援する情報を備え、ならびに、前記情報は、前記第１のＲＡＴコンポーネントと前記第２のＲＡＴコンポーネントとの間の前記検出された干渉状況によって影響される周波数のリスト、または、前記無線デバイスにおける時分割多重化（ＴＤＭ）に関連付けられた情報の少なくとも１つを備えている、ステップと
を備えたことを特徴とする方法。
【請求項２】
前記無線デバイスにおける前記第１のＲＡＴコンポーネントと前記第２のＲＡＴコンポーネントとの間の前記検出された干渉状況に対する構成情報を受信するステップであって、前記構成情報は、前記検出された干渉状況に応答して、前記無線デバイスによって実行されることになる動作または動作のインジケーションを少なくとも備えている、ステップと、
前記検出された干渉状況を軽減する前記動作を含む、前記構成情報を処理するステップと
をさらに備えたことを特徴とする請求項１に記載の方法。
【請求項３】
前記動作または前記動作のインジケーションを含む前記構成情報を処理するステップは、
前記第１のＲＡＴコンポーネントまたは前記第２のＲＡＴコンポーネントの少なくとも１つに対するハンドオーバと、
前記第１のＲＡＴコンポーネントまたは前記第２のＲＡＴコンポーネントの少なくとも１つの上での送信または受信の間の時間調節と、
別の周波数へのリダイレクトと、
前記第１のＲＡＴコンポーネントまたは前記第２のＲＡＴコンポーネントのアクティブ化と、
前記第１のＲＡＴコンポーネントまたは前記第２のＲＡＴコンポーネントの遅延アクティブ化と、
前記第１のＲＡＴコンポーネントまたは前記第２のＲＡＴコンポーネントをオフにすることと、
前記第１のＲＡＴコンポーネントまたは前記第２のＲＡＴコンポーネントをオンにすることと、
前記第１のＲＡＴコンポーネントまたは前記第２のＲＡＴコンポーネントの少なくとも１つに対する送信の拒否と、
低減されたアップリンク（ＵＬ）モードへの移動と、
前記第１のＲＡＴコンポーネントまたは前記第２のＲＡＴコンポーネントに関連付けられた周波数帯域に対する電力スケーリングと
のうちの少なくとも１つを実行するステップを備えていることを特徴とする請求項２に記載の方法。
【請求項４】
前記構成情報または動作は、
デバイス内干渉イベントに対する構成と、
ネットワークの能力に関連付けられた情報と、
スケーリング値と、
新たな測定構成メッセージと、
新たな周波数帯域と、
前記第１のＲＡＴコンポーネントまたは前記第２のＲＡＴコンポーネントに対するアクティブ化遅延と、
前記第１のＲＡＴコンポーネントまたは前記第２のＲＡＴコンポーネントを起動するインジケーションと、
前記第１のＲＡＴコンポーネントまたは前記第２のＲＡＴコンポーネントに対するアクティブ化時間通知と、
前記第１のＲＡＴコンポーネントまたは前記第２のＲＡＴコンポーネントによって送信または受信されるトラフィックの優先度を含むトラフィックのタイプのインジケーションと、
前記第１のＲＡＴコンポーネントまたは前記第２のＲＡＴコンポーネントをオフに保つコマンドと、
ハンドオーバコマンドと、
測定制御情報と、
別の周波数における無線リソース制御（ＲＲＣ）再確立に関連付けられた情報と、
再構成メッセージと、
高速変更に関連付けられた情報と、
異なるＲＡＴコンポーネントへのリダイレクトと、
間欠受信（ＤＲＸ）動作に関連付けられた情報と、
周波数分割多重化（ＦＤＭ）動作に関連付けられた情報と、
ＴＤＭ動作に関連付けられた情報と、
周波数分割複信（ＦＤＤ）半二重動作に関連付けられた情報と、
パターンまたはパターンに関連付けられた変更に関連付けられた情報と、
非バッファステータス報告（ＢＳＲ）に関連付けられた情報と、
１つもしくは複数のスケジューリング要求と、
ダウンリンク（ＤＬ）再送信およびフィードバックに関連付けられた情報と、
アップリンク（ＵＬ）再送信およびフィードバックに関連付けられた情報と、
ランダムアクセスプロシージャに関連付けられた情報と、
前記干渉状況が軽減されたというインジケーションと、
周波数帯域の電力スケーリングに関連付けられた情報と
のうちの少なくとも１つを備えていることを特徴とする請求項２に記載の方法。
【請求項５】
前記干渉状況は、１つまたは複数のトリガに応答して検出されることを特徴とする請求項１に記載の方法。
【請求項６】
前記１つまたは複数のトリガは、
先行的トリガと、
反応的トリガと、
ハンドオーバが開始されることと、
動作のモードにおける変更と、
使用シナリオ変更における変更と、
サービスシナリオ変更における変更と、
タイマの満了と、
所定の負荷の発生と、
バッファのサイズと
のうちの少なくとも１つを備えていることを特徴とする請求項５に記載の方法。
【請求項７】
前記通知は、
前記第１のＲＡＴコンポーネントもしくは前記第２のＲＡＴコンポーネントがアクティブ化される必要があり、または、アクティブ化されるというインジケーションと、
前記第１のＲＡＴコンポーネントもしくは前記第２のＲＡＴコンポーネントがオンにされる必要があり、または、オンにされるというインジケーションと、
前記１つまたは複数のトリガに関連付けられた情報と、
前記干渉状況を引き起こす技術のタイプに関連付けられた情報と、
前記干渉状況に対処する前記無線デバイスの能力のインジケーションと、
前記第１のＲＡＴコンポーネントまたは前記第２のＲＡＴコンポーネントに関連付けられた情報と、
前記第１のＲＡＴコンポーネントまたは前記第２のＲＡＴコンポーネントによって要求される使用シナリオと、
前記第１のＲＡＴコンポーネントまたは前記第２のＲＡＴコンポーネントによって要求されるサービスシナリオと、
タイマに関連付けられた情報と、
前記第１のＲＡＴコンポーネントまたは前記第２のＲＡＴコンポーネントの動作のモードに関連付けられた情報と、
いつ前記第１のＲＡＴコンポーネントまたは前記第２のＲＡＴコンポーネントがオンにされるべきであるかのインジケーションと、
前記第１のＲＡＴコンポーネントまたは前記第２のＲＡＴコンポーネントに関連付けられた測定と、
前記第１のＲＡＴコンポーネントまたは前記第２のＲＡＴコンポーネントに関連付けられたホッピング周波数と、
前記第１のＲＡＴコンポーネントまたは前記第２のＲＡＴコンポーネントによってサポートされる周波数のリストと、
前記第１のＲＡＴコンポーネントまたは前記第２のＲＡＴコンポーネントをオンにすることに関連付けられた緊急性のインジケーションと、
支援型グローバルナビゲーション衛星システム（Ａ−ＧＮＳＳ）に対する要求と、
ソースセルに関連付けられた情報と、
前記第１のＲＡＴコンポーネントまたは前記第２のＲＡＴコンポーネントのバッファサイズに関連付けられた情報と
のうちの少なくとも１つを備えていることを特徴とする請求項６に記載の方法。
【請求項８】
前記通知は、
無線リソース制御（ＲＲＣ）接続確立プロシージャを介して、
ＲＲＣメッセージにおける新たなフィールドを介して、
ＲＲＣ接続要求メッセージを介して、
ＲＲＣ接続セットアップ完了メッセージを介して、
ルーティングエリア更新メッセージを介して、および、
媒体アクセス制御（ＭＡＣ）制御要素を介して
のうちの少なくとも１つを介して送信されるように構成されていることを特徴とする請求項１に記載の方法。
【請求項９】
前記第１のＲＡＴコンポーネントは、第１の無線技術をサポートし、および、前記第２のＲＡＴコンポーネントは、第２の無線技術をサポートし、前記第１の無線技術および前記第２の無線技術は異なることを特徴とする請求項１に記載の方法。
【請求項１０】
前記無線デバイスにおけるＴＤＭに関連付けられた前記情報は、間欠受信（ＤＴＸ）パターンを備えていることを特徴とする請求項１に記載の方法。
【請求項１１】
前記パターンは、サイクル、周期性、サイクル長、オフセットまたはアクティブ時間の少なくとも１つを備えていることを特徴とする請求項１０に記載の方法。
【請求項１２】
前記情報は、前記第１のＲＡＴコンポーネントまたは前記第２のＲＡＴコンポーネントが干渉しており、または、前記干渉状況の被干渉技術であるかに関連付けられた情報を備えていることを特徴とする請求項１に記載の方法。
【請求項１３】
前記干渉状況の前記通知は、無線デバイスが前記干渉状況から回復していないときに、前記ネットワークに送信されることを特徴とする請求項１に記載の方法。
【請求項１４】
前記１つまたは複数のトリガは、干渉変更シナリオを備えていることを特徴とする請求項５に記載の方法。
【請求項１５】
前記干渉変更シナリオは、前記無線デバイスがもはや前記干渉状況を経験していないことを備えていることを特徴とする請求項１４に記載の方法。
【請求項１６】
前記反応的トリガは、１つもしくは複数のイベント、または、１つもしくは複数の条件に基づいていることを特徴とする請求項６に記載の方法。
【請求項１７】
前記１つもしくは複数のイベントは、前記第１のＲＡＴコンポーネントまたは前記第２のＲＡＴコンポーネントの少なくとも１つがアクティブであり、および、干渉を引き起こしていることのデバイス内知識を備えていることを特徴とする請求項１６に記載の方法。
【請求項１８】
前記１つもしくは複数の条件は、基準信号受信品質（ＲＳＲＱ）、基準信号受信電力（ＲＳＲＰ）、またはチャネル品質インジケータ（ＣＱＩ）の少なくとも１つを備えていることを特徴とする請求項１６に記載の方法。
【請求項１９】
前記通知は、前記無線デバイスの干渉状況が、前記無線デバイスによって軽減することが可能な干渉状況でないときに送信されることを特徴とする請求項１に記載の方法。
【請求項２０】
前記無線デバイスから前記ネットワークへ、前記干渉状況に対処する前記無線デバイスの能力を送信するステップをさらに備えたことを特徴とする請求項１に記載の方法。
【請求項２１】
前記ネットワークから、前記干渉状況を報告または監視するための構成を受信するステップをさらに備えたことを特徴とする請求項１に記載の方法。
【請求項２２】
前記通知は、前記無線デバイスが、前記通知を送信することが可能であり、または、許可されることを示す前記構成に基づいて送信されることを特徴とする請求項２１に記載の方法。
【請求項２３】
前記トリガが前記ハンドオーバを備えるとき、前記干渉状況の軽減を支援する前記情報は、前記ハンドオーバに関連付けられたターゲット発展型ＮｏｄｅＢ（ｅＮＢ）、または、前記干渉状況を認識している前記ターゲットｅＮＢに転送されることを特徴とする請求項６に記載の方法。
【請求項２４】
前記ハンドオーバが行われた後に、別の通知を送信するステップをさらに備えたことを特徴とする請求項６に記載の方法。
【請求項２５】
前記無線デバイスがもはや前記干渉状況を経験していないときに、前記ネットワークに報告するステップをさらに備えたことを特徴とする請求項１に記載の方法。
【請求項２６】
前記干渉状況を支援するための前記情報は、干渉無線アクセス技術がダウンリンク（ＤＬ）ＬＴＥ受信を干渉しているかのインジケーション、アップリンク（ＵＬ）ＬＴＥが他の無線アクセス技術を干渉しているかのインジケーション、および、前記ＵＬもしくはＤＬが送信もしくは受信の間に干渉されているかに関連付けられたインジケーションもしくは情報、の少なくとも１つをさらに備えていることを特徴とする請求項１に記載の方法。
【請求項２７】
前記ハンドオーバは、周波数間ハンドオーバを備えていることを特徴とする請求項３に記載の方法。
【請求項２８】
前記動作または前記動作のインジケーションを含む前記構成情報を処理するステップは、１つまたは複数のセルを除去して、前記第１のＲＡＴと前記第２のＲＡＴとの間で周波数分割を提供するステップをさらに備えていることを特徴とする請求項３に記載の方法。
【請求項２９】
前記第１のＲＡＴコンポーネントまたは前記第２のＲＡＴコンポーネントの少なくとも１つの上での送信または受信の間の前記時間調節は、前記第１のＲＡＴコンポーネントまたは前記第２のＲＡＴコンポーネントの少なくとも１つの上での無線信号の送信が、前記第１のＲＡＴコンポーネントまたは前記第２のＲＡＴコンポーネントの少なくとも１つの上での別の信号の受信と同時に発生しないことを保証することを備えていることを特徴とする請求項３に記載の方法。
【請求項３０】
前記送信の拒否は、ページングおよび測定期間の間に実行されることを特徴とする請求項３に記載の方法。
【請求項３１】
前記第１のＲＡＴコンポーネントまたは前記第２のＲＡＴコンポーネントの前記遅延アクティブ化は、サービス優先度、アクティビティ、またはプロシージャの少なくとも１つに基づいて遅延されることを特徴とする請求項３に記載の方法。
【請求項３２】
内部に含まれた共存する無線アクセス技術（ＲＡＴ）コンポーネント間の干渉を軽減するための無線送信／受信ユニット（ＷＴＲＵ）であって、
ネットワークから、前記無線デバイスにおける少なくとも第１のＲＡＴコンポーネントと第２のＲＡＴコンポーネントとの間の検出された干渉状況に対する構成情報を受信し、前記構成情報は、前記検出された干渉状況に応答して、前記ＷＴＲＵによって実行されることになる動作または動作のインジケーションを少なくとも備え、前記動作または前記動作のインジケーションは、周波数分割多重化（ＦＤＭ）動作もしくはそのインジケーション、または、時分割多重化（ＴＤＭ）動作もしくはそのインジケーションの少なくとも１つを備えており、ならびに、
前記動作または前記動作のインジケーションを含む前記構成情報を処理して、前記検出された干渉状況を軽減する
ように構成されたプロセッサを備えたことを特徴とするＷＴＲＵ。
【請求項３３】
前記プロセッサは、前記動作または前記動作のインジケーションを含む前記構成情報を処理するとき、
前記第１のＲＡＴコンポーネントまたは前記第２のＲＡＴコンポーネントの少なくとも１つに対するハンドオーバと、
前記第１のＲＡＴコンポーネントまたは前記第２のＲＡＴコンポーネントの少なくとも１つの上での送信または受信の間の時間調節と、
別の周波数へのリダイレクトと、
前記第１のＲＡＴコンポーネントまたは前記第２のＲＡＴコンポーネントのアクティブ化と、
前記第１のＲＡＴコンポーネントまたは前記第２のＲＡＴコンポーネントの遅延アクティブ化と、
前記第１のＲＡＴコンポーネントまたは前記第２のＲＡＴコンポーネントをオフにすることと、
前記第１のＲＡＴコンポーネントまたは前記第２のＲＡＴコンポーネントをオンにすることと、
前記第１のＲＡＴコンポーネントまたは前記第２のＲＡＴコンポーネントの少なくとも１つに対する送信の拒否と、
低減されたアップリンク（ＵＬ）モードへの移動と、
前記第１のＲＡＴコンポーネントまたは前記第２のＲＡＴコンポーネントに関連付けられた周波数帯域に対する電力スケーリングと
のうちの少なくとも１つを実行するようにさらに構成されていることを特徴とする請求項３２に記載のＷＴＲＵ。
【請求項３４】
前記構成情報は、
デバイス内干渉イベントに対する構成と、
ネットワークの能力に関連付けられた情報と、
スケーリング値と、
新たな測定構成メッセージと、
新たな周波数帯域と、
前記第１のＲＡＴコンポーネントまたは前記第２のＲＡＴコンポーネントに対するアクティブ化遅延と、
前記第１のＲＡＴコンポーネントまたは前記第２のＲＡＴコンポーネントを起動するインジケーションと、
前記第１のＲＡＴコンポーネントまたは前記第２のＲＡＴコンポーネントに対するアクティブ化時間通知と、
前記第１のＲＡＴコンポーネントまたは前記第２のＲＡＴコンポーネントによって送信または受信されるトラフィックの優先度を含むトラフィックのタイプのインジケーションと、
前記第１のＲＡＴコンポーネントまたは前記第２のＲＡＴコンポーネントをオフに保つコマンドと、
ハンドオーバコマンドと、
測定制御情報と、
別の周波数における無線リソース制御（ＲＲＣ）再確立に関連付けられた情報と、
再構成メッセージと、
高速変更に関連付けられた情報と、
異なるＲＡＴコンポーネントへのリダイレクトと、
間欠受信（ＤＲＸ）動作に関連付けられた情報と、
周波数分割多重化（ＦＤＭ）動作に関連付けられた情報と、
ＴＤＭ動作に関連付けられた情報と、
周波数分割複信（ＦＤＤ）半二重動作に関連付けられた情報と、
パターンまたはパターンに関連付けられた変更に関連付けられた情報と、
非バッファステータス報告（ＢＳＲ）に関連付けられた情報と、
１つもしくは複数のスケジューリング要求と、
ダウンリンク（ＤＬ）再送信およびフィードバックに関連付けられた情報と、
アップリンク（ＵＬ）再送信およびフィードバックに関連付けられた情報と、
ランダムアクセスプロシージャに関連付けられた情報と、
前記干渉状況が軽減されたというインジケーションと、
周波数帯域の電力スケーリングに関連付けられた情報と
のうちの少なくとも１つを備えていることを特徴とする請求項３２に記載のＷＴＲＵ。
【請求項３５】
前記プロセッサは、
前記無線デバイスにおける前記２つ以上のＲＡＴコンポーネント間の干渉状況を検出し、
前記干渉状況の通知をネットワークへ送信し、前記通知は、前記検出された干渉状況を支援するための情報を備え、ならびに、前記情報は、前記第１のＲＡＴコンポーネントと前記第２のＲＡＴコンポーネントとの間の前記検出された干渉状況によって影響される周波数のリスト、または、前記第１のＲＡＴコンポーネントと前記第２のＲＡＴコンポーネントとの間の前記干渉状況を支援する、前記ＷＴＲＵによって推奨される時分割多重化（ＴＤＭ）に関連付けられた情報の少なくとも１つを備えている
ようにさらに構成されていることを特徴とする請求項３２に記載のＷＴＲＵ。
【請求項３６】
前記干渉状況は、１つまたは複数のトリガに応答して検出されることを特徴とする請求項３５に記載のＷＴＲＵ。
【請求項３７】
前記１つまたは複数のトリガは、
先行的トリガと、
反応的トリガと、
ハンドオーバが開始されることと、
動作のモードにおける変更と、
使用シナリオ変更における変更と、
サービスシナリオ変更における変更と、
タイマの満了と、
所定の負荷の発生と、
バッファのサイズと
のうちの少なくとも１つを備えていることを特徴とする請求項３６に記載のＷＴＲＵ。
【請求項３８】
前記通知は、
前記第１のＲＡＴコンポーネントもしくは前記第２のＲＡＴコンポーネントがアクティブ化される必要があり、または、アクティブ化されるというインジケーションと、
前記第１のＲＡＴコンポーネントもしくは前記第２のＲＡＴコンポーネントがオンにされる必要があり、または、オンにされるというインジケーションと、
前記１つまたは複数のトリガに関連付けられた情報と、
前記干渉状況を引き起こす技術のタイプに関連付けられた情報と、
前記干渉状況に対処する前記無線デバイスの能力のインジケーションと、
前記第１のＲＡＴコンポーネントまたは前記第２のＲＡＴコンポーネントに関連付けられた情報と、
前記第１のＲＡＴコンポーネントまたは前記第２のＲＡＴコンポーネントによって要求される使用シナリオと、
前記第１のＲＡＴコンポーネントまたは前記第２のＲＡＴコンポーネントによって要求されるサービスシナリオと、
タイマに関連付けられた情報と、
前記第１のＲＡＴコンポーネントまたは前記第２のＲＡＴコンポーネントの動作のモードに関連付けられた情報と、
いつ前記第１のＲＡＴコンポーネントまたは前記第２のＲＡＴコンポーネントがオンにされるべきであるかのインジケーションと、
前記第１のＲＡＴコンポーネントまたは前記第２のＲＡＴコンポーネントに関連付けられた測定と、
前記第１のＲＡＴコンポーネントまたは前記第２のＲＡＴコンポーネントに関連付けられたホッピング周波数と、
前記第１のＲＡＴコンポーネントまたは前記第２のＲＡＴコンポーネントによってサポートされる周波数のリストと、
前記第１のＲＡＴコンポーネントまたは前記第２のＲＡＴコンポーネントをオンにすることに関連付けられた緊急性のインジケーションと、
支援型グローバルナビゲーション衛星システム（Ａ−ＧＮＳＳ）に対する要求と、
ソースセルに関連付けられた情報と、
前記第１のＲＡＴコンポーネントまたは前記第２のＲＡＴコンポーネントのバッファサイズに関連付けられた情報と
のうちの少なくとも１つを備えていることを特徴とする請求項３７に記載のＷＴＲＵ。
【請求項３９】
前記通知は、
無線リソース制御（ＲＲＣ）接続確立プロシージャを介して、
ＲＲＣメッセージにおける新たなフィールドを介して、
ＲＲＣ接続要求メッセージを介して、
ＲＲＣ接続セットアップ完了メッセージを介して、
ルーティングエリア更新メッセージを介して、および、
媒体アクセス制御（ＭＡＣ）制御要素を介して
のうちの少なくとも１つによって送信されることを特徴とする請求項３５に記載のＷＴＲＵ。
【請求項４０】
前記第１のＲＡＴコンポーネントは、第１の無線技術をサポートし、および、前記第２のＲＡＴコンポーネントは、第２の無線技術をサポートし、前記第１の無線技術および前記第２の無線技術は、異なることを特徴とする請求項３２に記載のＷＴＲＵ。
【請求項４１】
前記ハンドオーバは、周波数間ハンドオーバを備えていることを特徴とする請求項３３に記載にＷＴＲＵ。
【請求項４２】
前記プロセッサは、前記動作または前記動作のインジケーションを含む前記構成情報を処理して、１つまたは複数のセルを除去することによって前記検出された干渉を軽減して、前記第１のＲＡＴと前記第２のＲＡＴとの間で周波数分割を提供するように構成されていることを特徴とする請求項３３に記載のＷＴＲＵ。
【請求項４３】
前記第１のＲＡＴコンポーネントまたは前記第２のＲＡＴコンポーネントの少なくとも１つの上での送信または受信の間の前記時間調節は、前記第１のＲＡＴコンポーネントまたは前記第２のＲＡＴコンポーネントの少なくとも１つの上での無線信号の送信が、前記第１のＲＡＴコンポーネントまたは前記第２のＲＡＴコンポーネントの少なくとも１つの上での別の信号の受信と同時に発生しないことを保証することを備えていることを特徴とする請求項３３に記載のＷＴＲＵ。
【請求項４４】
前記送信の拒否は、ページングおよび測定期間の間に実行されることを特徴とする請求項３３に記載のＷＴＲＵ。
【請求項４５】
前記第１のＲＡＴコンポーネントまたは前記第２のＲＡＴコンポーネントの前記遅延アクティブ化は、サービス優先度、アクティビティ、またはプロシージャの少なくとも１つに基づいて遅延されることを特徴とする請求項３３に記載のＷＴＲＵ。
【請求項４６】
前記無線デバイスにおける時分割多重化（ＴＤＭ）に関連付けられた前記情報は、間欠受信（ＤＲＸ）パターンを備えていることを特徴とする請求項３５に記載のＷＴＲＵ。
【請求項４７】
前記パターンは、サイクル、サイクル長、オフセット、またはアクティブ時間の少なくとも１つを備えていることを特徴とする請求項４６に記載のＷＴＲＵ。
【請求項４８】
前記情報は、前記第１のＲＡＴコンポーネントまたは前記第２のＲＡＴコンポーネントが干渉しており、または、前記干渉状況の被干渉技術であるかに関連付けられた情報を備えていることを特徴とする請求項３５に記載のＷＴＲＵ。
【請求項４９】
前記干渉状況の前記通知は、無線デバイスが前記干渉状況から回復していないときに前記ネットワークへ送信されることを特徴とする請求項３５に記載のＷＴＲＵ。
【請求項５０】
前記１つまたは複数のトリガは、干渉変更シナリオを備えていることをと特徴とする請求項３６に記載のＷＴＲＵ。
【請求項５１】
前記干渉変更シナリオは、前記無線デバイスが、もはや前記干渉状況を経験していないことを備えていることを特徴とする請求項５０に記載のＷＴＲＵ。
【請求項５２】
前記反応的トリガは、１つもしくは複数のイベント、または、１つもしくは複数の条件に基づいていることを特徴とする請求項３７に記載のＷＴＲＵ。
【請求項５３】
前記１つもしくは複数のイベントは、前記第１のＲＡＴコンポーネントまたは前記第２のＲＡＴコンポーネントの少なくとも１つがアクティブであり、および、干渉を引き起こしていることのデバイス内知識を備えていることを特徴とする請求項５２に記載のＷＴＲＵ。
【請求項５４】
前記１つもしくは複数の条件は、基準信号受信品質（ＲＳＲＱ）、基準信号受信電力（ＲＳＲＰ）、またはチャネル品質インジケータ（ＣＱＩ）の少なくとも１つを備えていることを特徴とする請求項５２に記載のＷＴＲＵ。
【請求項５５】
前記通知は、前記無線デバイスの干渉状況が前記無線デバイスにより軽減することが可能な干渉状況ではないときに送信されることを特徴とする請求項３５に記載のＷＴＲＵ。
【請求項５６】
前記プロセッサは、前記ＷＴＲＵから前記ネットワークへ、前記干渉状況に対処する前記無線デバイスの能力を送信するようにさらに構成されていることを特徴とする請求項３５に記載のＷＴＲＵ。
【請求項５７】
前記プロセッサは、前記ネットワークから、前記干渉状況を報告または監視するための構成を受信するようにさらに構成されていることを特徴とする請求項３５に記載のＷＴＲＵ。
【請求項５８】
前記通知は、前記無線デバイスが前記通知を送信することが可能であり、または、許可されていることを示す構成に基づいていることを特徴とする請求項５６に記載のＷＴＲＵ。
【請求項５９】
前記トリガが前記ハンドオーバを備えるとき、前記干渉状況の軽減を支援するための前記情報は、前記ハンドオーバに関連付けられたターゲット発展型ＮｏｄｅＢ（ｅＮＢ）、または、前記干渉状況を認識している前記ターゲットｅＮＢに転送されることを特徴とする請求項３７に記載のＷＴＲＵ。
【請求項６０】
前記プロセッサは、前記ハンドオーバが発生した後に、別の通知を送信するようにさらに構成されていることを特徴とする請求項３７に記載のＷＴＲＵ。
【請求項６１】
前記プロセッサは、前記ＷＴＲＵがもはや前記干渉状況を経験していないときに、前記ネットワークへ報告するようにさらに構成されていることを特徴とする請求項３５に記載のＷＴＲＵ。
【請求項６２】
前記干渉状況を支援するための前記情報は、干渉無線アクセス技術がダウンリンク（ＤＬ）ＬＴＥ受信を干渉しているかのインジケーション、アップリンク（ＵＬ）ＬＴＥが他の無線アクセス技術を干渉しているかのインジケーション、および、前記ＵＬもしくはＤＬが送信もしくは受信の間に干渉されているかに関連付けられたインジケーションもしくは情報、の少なくとも１つを備えていることを特徴とする請求項３５に記載のＷＴＲＵ。
【請求項６３】
無線デバイスにおける無線アクセス技術（ＲＡＴ）コンポーネント間の干渉を軽減するための方法であって、
前記無線デバイスにおける第１のＲＡＴコンポーネントと第２のＲＡＴコンポーネントとの間の干渉状況を検出するステップと、
前記検出された干渉状況の通知をネットワークへ送信するステップであって、前記通知は、前記検出された干渉状況を支援するための情報を備え、ならびに、前記情報は、前記第１のＲＡＴコンポーネントと前記第２のＲＡＴコンポーネントとの間の前記検出された干渉状況によって影響される周波数のリスト、または、前記第１のＲＡＴコンポーネントと前記第２のＲＡＴコンポーネントとの間の前記干渉状況を支援する、前記無線デバイスにより推奨される時分割多重化（ＴＤＭ）に関連付けられた情報の少なくとも１つを備えている、ステップと、
前記ネットワークから、前記通知、および、前記第１のＲＡＴコンポーネントと前記第２のＲＡＴコンポーネントとの間の前記検出された干渉状況に応答して、前記無線デバイスにより実行されることになる動作もしくは動作のインジケーションを受信するステップであって、前記動作は、周波数分割多重化（ＦＤＭ）動作またはＴＤＭ動作の少なくとも１つを備えている、ステップと、
前記動作を実行して、前記検出された干渉状況を軽減するステップと
を備えたことを特徴とする方法。
【請求項６４】
前記干渉状況は、
先行的トリガと、
反応的トリガと、
ハンドオーバが開始されることと、
動作のモードにおける変更と、
使用シナリオ変更における変更と、
サービスシナリオ変更における変更と、
タイマの満了と、
所定の負荷の発生と、
バッファのサイズと
のうちの少なくとも１つを備える１つまたは複数のトリガに基づいて検出されることを特徴とする請求項６３に記載の方法。
【請求項６５】
前記動作は、
無線リンク障害（ＲＬＦ）プロシージャと、
前記第１のＲＡＴコンポーネントまたは前記第２のＲＡＴコンポーネントの少なくとも１つに対するハンドオーバと、
前記第１のＲＡＴコンポーネントまたは前記第２のＲＡＴコンポーネントの少なくとも１つの上での送信または受信の間の時間調節と、
別の周波数へのリダイレクトと、
前記第１のＲＡＴコンポーネントまたは前記第２のＲＡＴコンポーネントのアクティブ化と、
前記第１のＲＡＴコンポーネントまたは前記第２のＲＡＴコンポーネントの遅延アクティブ化と、
前記第１のＲＡＴコンポーネントまたは前記第２のＲＡＴコンポーネントをオフにすることと、
前記第１のＲＡＴコンポーネントまたは前記第２のＲＡＴコンポーネントをオンにすることと、
前記第１のＲＡＴコンポーネントまたは前記第２のＲＡＴコンポーネントの少なくとも１つに対する送信の拒否と、
低減されたアップリンク（ＵＬ）モードへの移動と、
前記第１のＲＡＴコンポーネントまたは前記第２のＲＡＴコンポーネントに関連付けられた周波数帯域に対する電力スケーリングと
のうちの少なくとも１つを備えていることを特徴とする請求項６３に記載の方法。
【請求項６６】
前記第１のＲＡＴコンポーネントは、第１の無線技術をサポートし、および、前記第２のＲＡＴコンポーネントは、第２の無線技術をサポートし、前記第１の無線技術および前記第２の無線技術は異なることを特徴とする請求項６３に記載の方法。
【請求項６７】
前記トリガが前記ハンドオーバを備えるとき、前記干渉状況の軽減を支援するための前記情報は、前記ハンドオーバに関連付けられたターゲット発展型ＮｏｄｅＢ（ｅＮＢ）、または、前記干渉状況を認識している前記ターゲットｅＮＢに転送されることを特徴とする請求項６４に記載の方法。
【請求項６８】
前記ハンドオーバが発生した後に、別の通知を送信するステップをさらに備えたことを特徴とする請求項６４に記載の方法。
【請求項６９】
前記ハンドオーバは、周波数間ハンドオーバを備えていることを特徴とする請求項６５に記載の方法。
【請求項７０】
前記動作または前記動作のインジケーションを含む前記構成情報を処理するステップは、１つまたは複数のセルを除去して、前記第１のＲＡＴと前記第２のＲＡＴとの間で周波数分割を提供するステップをさらに備えていることを特徴とする請求項６５に記載の方法。
【請求項７１】
前記第１のＲＡＴコンポーネントまたは前記第２のＲＡＴコンポーネントの少なくとも１つの上での送信または受信の間の前記時間調節は、前記第１のＲＡＴコンポーネントまたは前記第２のＲＡＴコンポーネントの少なくとも１つの上での無線信号の送信が、前記第１のＲＡＴコンポーネントまたは前記第２のＲＡＴコンポーネントの少なくとも１つの上での別の信号の受信と同時に発生しないことを保証するステップを備えていることを特徴とする請求項６５に記載の方法。
【請求項７２】
前記送信の拒否は、ページングおよび測定期間の間に実行されることを特徴とする請求項６５に記載の方法。
【請求項７３】
前記第１のＲＡＴコンポーネントまたは前記第２のＲＡＴコンポーネントの前記遅延アクティブ化は、サービス優先度、アクティビティ、またはプロシージャの少なくとも１つに基づいて遅延されることを特徴とする請求項６５に記載の方法。